(57)【要約】【課題】小型化、スリム化に伴って発生する振動面積の低下、振動板エッジ部経路長の減少を抑えたスピーカユニットおよび携帯情報端末を提供する。【解決手段】スピーカユニットは、外周部２４に第１の凸部を有する振動板部材１と、振動板部材１に固定されたボイスコイル４と、ボイスコイル４と間隔をあけて配置されたマグネット５と、マグネット５を支持し、かつ第１の凸部よりも内周側に第２の凸部６を有するフレーム７とを備えている。第１の凸部の内周側の面が第２の凸部６の外周側の面に対向するようにフレーム７に対して振動板部材１が取り付けられている。【選択図】図１
2010073839.tif 000002
【特許請求の範囲】
【請求項１】
外周部に第１の凸部を有する振動板部材と、
前記振動板部材に固定されたボイスコイルと、
前記ボイスコイルと間隔をあけて配置されたマグネットと、
前記マグネットを支持し、かつ前記第１の凸部よりも内周側に第２の凸部を有するフレームとを備え、
前記第１の凸部の内周側の面が前記第２の凸部の外周側の面に対向するように前記フレームに対して前記振動板部材が取り付けられている、スピーカユニット。
【請求項２】
前記振動板部材は、振動板と、前記振動板の外周部に取り付けられたリングとを含み、  前記リングの内周面が前記第１の凸部の内周側の面として前記第２の凸部の外周側の面に対向する、請求項１に記載のスピーカユニット。
【請求項３】
前記振動板部材は、振動板を含み、
前記振動板は外周部に外周凸部を有し、前記外周凸部の内周面が前記第１の凸部の内周側の面として前記第２の凸部の外周側の面に対向する、請求項１に記載のスピーカユニット。
【請求項４】
前記第２の凸部が前記フレームの内周側の全周に連続して設けられている、請求項１〜３のいずれかに記載のスピーカユニット。
【請求項５】
前記第２の凸部が前記フレームの内周側の少なくとも一部に設けられている、請求項１〜３のいずれかに記載のスピーカユニット。
【請求項６】
請求項１〜３のいずれかのスピーカユニットを備えた、携帯情報端末。
【発明の詳細な説明】
【技術分野】
【０００１】
本発明は、スピーカユニットおよび携帯情報端末に関し、特に小型化、スリム化されたスピーカユニットおよび携帯情報端末に関するものである。
【背景技術】
【０００２】
スピーカユニットは、携帯電話、ＤＳＣ（Digital Still Camera）、ＰＤＡ（Personal Digital Assistants）、ＰＣ（Personal Computer）などの携帯情報端末に用いられている。なお、ここでスピーカユニットとは、いわゆるスピーカとレシーバーとを含んでいる。そして、スピーカユニットにおいては、フレームに対する振動板の位置決めが行われている。【０００３】
従来、その位置決めは、フレームの外周部に設けられた縁立て部の内周面と振動板の外周面とによって行われていた。たとえば、特許第３８６９７８２号公報（特許文献１）には、フレームの外周部に設けられた縁立て部の内周面と振動板の外周面とで振動板が位置決めされているスピーカ装置が開示されている。
【特許文献１】特許第３８６９７８２号公報
【発明の開示】
【発明が解決しようとする課題】
【０００４】
近年、携帯情報端末の小型化、スリム化が急速に進んでいる。それを受けて、音響部品においては部品搭載スペースが削減されている。それにあわせて、省スペースでより性能の高い製品に対する市場ニーズが加速している。【０００５】
しかしながら、従来のスピーカユニットの形状のまま、小型化、スリム化が進められると次の問題がある。すなわち、フレームの外周部に設けられた縁立て部と振動板の外周面とで振動板が位置決めされている形状では、小型化、スリム化に伴ってスピーカユニットにおける振動面積が小さくなる。これにより、スピーカユニットの音圧が低下するという問題がある。また、スピーカユニットの振動面積が小さくなるためスピーカユニットにおける振動板エッジ部経路長（振動板エッジ部とボイスコイルとの間に位置する部分であって断面視における円弧状部分の長さ）も短くなる。これにより、スピーカユニットの最低共振周波数が上昇するという問題もある。【０００６】
本発明は、上記課題を鑑みてなされたものであり、その目的は、小型化、スリム化に伴って発生する振動面積の低下、振動板エッジ部経路長の減少を抑えたスピーカユニットおよび携帯情報端末を提供することである。
【課題を解決するための手段】
【０００７】
本発明のスピーカユニットは、外周部に第１の凸部を有する振動板部材と、振動板部材に固定されたボイスコイルと、ボイスコイルと間隔をあけて配置されたマグネットと、マグネットを支持し、かつ第１の凸部よりも内周側に第２の凸部を有するフレームとを備えている。第１の凸部の内周側の面が第２の凸部の外周側の面に対向するようにフレームに対して振動板部材が取り付けられている。【０００８】
本発明のスピーカユニットによれば、振動板部材の第１の凸部の内周側の面とフレームの第２の凸部の外周側の面とが対向するように振動板部材がフレームに取り付けられる。
このように第１および第２の凸部を対向配置させることにより、振動板部材をフレームに対して位置決めして取り付けることが可能となる。【０００９】
また振動板部材の第１の凸部がフレームの第２の凸部よりも外周側に位置している。このため、従来のスピーカユニットの形状におけるフレームの外周部に設けられた縁立て部を排除することができるので、従来のスピーカユニットと同じ外形寸法の場合に、より振動板部材の面積を大きくすることが可能となる。よって、スピーカユニットが小型化、スリム化しても従来のスピーカユニットの形状に比べて振動板部材の振動部分の面積を大きく確保できるので音圧の低下を抑えることができる。【００１０】
また、スピーカユニットが小型化、スリム化しても振動板部材の振動部分の面積を大きく確保できるので、振動板エッジ部経路長が短くなることも抑制でき、最低共振周波数の上昇を抑えることもできる。【００１１】
上記のスピーカユニットにおいて好ましくは、振動板部材は、振動板と、振動板の外周部に取り付けられたリングとを含んでいる。リングの内周面が第１の凸部の内周側の面として第２の凸部の外周側の面に対向している。【００１２】
上記のスピーカユニットにおいて好ましくは、振動板部材は、振動板を含んでいる。振動板は外周部に外周凸部を有し、外周凸部の内周面が第１の凸部の内周側の面として第２の凸部の外周側の面に対向している。【００１３】
上記のスピーカユニットにおいて好ましくは、第２の凸部がフレームの内周側の全周に連続して設けられている。【００１４】
これにより、より安定して振動板部材をフレームに位置決めすることができる。【００１５】
上記のスピーカユニットにおいて好ましくは、第２の凸部がフレームの内周側の少なくとも一部に設けられている。【００１６】
これにより、安定して振動板部材をフレームに位置決めすることができる。【００１７】
本発明の携帯情報端末は、上記のいずれかのスピーカユニットを備えている。【００１８】
本発明の携帯情報端末によれば、上記のいずれかのスピーカユニットを備えているので、小型化、スリム化を進めることにより、フレームの外形寸法が小さくなっても、従来のスピーカユニットの形状に比べて振動板の面積の低下を抑えることができる。また振動板エッジ部経路長の減少を抑えることができる。これにより、スピーカユニットの音圧の低下を抑えることができる。また、最低共振周波数の上昇を抑えることができる。
【発明の効果】
【００１９】
以上説明したように、本発明のスピーカユニットおよび携帯情報端末によれば、小型化、スリム化に伴って発生する振動面積の低下、振動板エッジ部経路長の減少を抑えることができる。
【発明を実施するための最良の形態】
【００２０】
以下、本発明の実施の形態について図に基づいて説明する。【００２１】
（実施の形態１）
最初に本実施の形態のスピーカユニットの構成について説明する。【００２２】
図１は、本実施の形態におけるスピーカユニットの構成を示す概略断面図である。図２は、図１に示すスピーカユニットの概略平面図である。なお、図２においては、見やすくするため振動板およびカバーは図示されていない。【００２３】
図１および図２を参照して、本実施の形態のスピーカユニット２０は、振動板部材１と、ボイスコイル４と、マグネット５と、フレーム７と、プレート８と、ヨーク９と、カバー１０とを主に有している。【００２４】
振動板部材１は、振動板２とリング３とを有している。振動板２は、上下方向（図１中矢印Ａ方向）に振動可能なように薄板によって構成されている。振動板２は、たとえば、合成樹脂で形成されている。振動板２は、平面視における円形状の中央部２１と、中央部２１の外周側に形成された平坦部２２と、平坦部２２の外周側に形成された周辺部２３と、周辺部２３の外周側に形成された外周部２４とを有している。中央部２１および周辺部２３は、図１の断面視において円弧状に形成されている。平坦部２２は、図１の断面視において平坦に形成されている。【００２５】
振動板２の外周部２４の下面には、円環状のリング３が取り付けられている。リング３が第１の凸部を構成している。リング３は、たとえば金属で形成されている。【００２６】
振動板２の平坦部２２の下面に円環状のボイスコイル４の上面が接着されることにより、振動板２がボイスコイル４に取り付けられている。【００２７】
マグネット５はボイスコイル４の外周面と間隔をあけてボイスコイル４の外周側に配置されている。ヨーク９は、ボイスコイル４の内周面と間隔をあけてボイスコイル４の内周側に配置された部分（内周側部分）と、ボイスコイル４およびマグネット５の下側に配置された部分（下側部分）とを有している。ヨーク９の下側部分は、ボイスコイル４の下面と間隔をあけて配置されており、かつヨーク９の下側部分上にはマグネット５が載置されている。またマグネット５の上面にはプレート８が配置されている。これらのマグネット５、プレート８およびヨーク９により磁気回路が構成されている公知の外磁型がある。他に、公知の内磁型もある。【００２８】
フレーム７は、その内周側下部においてマグネット５、プレート８およびヨーク９を支持している。またフレーム７の上部には振動板部材１が取り付けられている。【００２９】
フレーム７の上部には、第２の凸部６が形成されている。この第２の凸部６は、第１の凸部に対応するリング３よりも内周側に位置しており、たとえば図２に示すように全周に連続して円形となるように設けられている。【００３０】
振動板部材１は、リング３（第１の凸部）の内周側の面がフレーム７の内周側に設けられた凸部６（第２の凸部）の外周側の面に対向するように、フレーム７に取り付けられている。【００３１】
なお、振動板２を覆うように平面視において円形状のカバー１０が配置されている。カバー１０は上面に向けて台形状に形成されている。カバー１０は、振動板２の外周部２４の上面とカバー１０の外周部の下面とが対向するように振動板２に取り付けられている。【００３２】
次に、本実施の形態のスピーカユニットの動作について説明する。【００３３】
上記の構成により、マグネット５から発生する磁束がプレート８およびヨーク９によって導かれて、ボイスコイル４の配置されている空隙に収束されて磁界が発生する。そして、ボイスコイル４に電流が流れると、ボイスコイル４を流れる電流とマグネット５から発生する磁界とによってフレミングの左手の法則に基づいて、ボイスコイル４が上下に振動する。したがって、ボイスコイル４に取り付けられた振動板２が振動する。これにより、電気信号（電流）が音響（振動）に変換される。【００３４】
上記では第２の凸部６がフレーム７の内周側の全周に設けられている場合を説明したが、第２の凸部６がフレーム７の内周側の少なくとも一部に設けられていてもよい。図３は、第２の凸部６がフレーム７の内周側の少なくとも一部に設けられている場合のスピーカユニットの概略平面図である。なお、図３においては、図２と同様に見やすくするため振動板２およびカバー１０は図示されていない。図３を参照して、フレーム７の内周側に等間隔で４箇所に第２の凸部６が設けられている。【００３５】
また、上記では第２の凸部６およびフレーム７が平面視において円形状に設けられている場合を説明したが、第２の凸部６およびフレーム７が平面視において矩形状に設けられていてもよい。図４は、第２の凸部６およびフレーム７が平面視において矩形状に設けられている場合のスピーカユニットの概略平面図である。なお、図４においては、図２および図３と同様に見やすくするため振動板２およびカバー１０は図示されていない。図４を参照して、第２の凸部６およびフレーム７が平面視において矩形状に設けられている。第２の凸部６がフレーム７の内周側の全周に連続して設けられている。なお、図４のＩ−Ｉ線に沿う概略断面図は図１と同様である。【００３６】
また、フレーム７が平面視において矩形状に設けられ、第２の凸部６がフレーム７の内周側の少なくとも一部に設けられていてもよい。図５および図６は、フレーム７が平面視において矩形状に設けられ、第２の凸部６がフレーム７の内周側の少なくとも一部に設けられた場合のスピーカユニットの概略平面図である。なお、図５においては、図４と同様に見やすくするため振動板２およびカバー１０は図示されていない。【００３７】
図５を参照して、フレーム７が平面視において矩形状に設けられている。第２の凸部６がフレーム７の内周側の長辺側および短辺側のそれぞれの中央部に各々設けられている。
なお、図５のＩ−Ｉ線に沿う概略断面図は図１と同様である。【００３８】
また、図６を参照して、フレーム７が平面視において矩形状に設けられている。第２の凸部６がフレーム７の内周側の四隅に設けられている。【００３９】
次に本実施の形態のスピーカユニットの作用効果について従来のスピーカユニットと比較して説明する。【００４０】
図７は、従来のスピーカユニットの構成を示す概略断面図である。この従来のスピーカユニット２０では、実施の形態１の構成と比較して、フレーム７の上部の構成が主に異なっている。すなわち、従来のスピーカユニット２０の形状では、フレーム７の外周側に設けられた縁立て部７１の内周面と振動板外周面７２とで振動板２が位置決めされている。【００４１】
したがって、この従来のスピーカユニット２０の形状のまま、小型化、スリム化を進めると、それに伴って振動板２の面積が小さくなる。また、振動板エッジ部経路長１１（振動板エッジ部とボイスコイル４との間に位置する部分であって断面視における円弧状部分の長さ）も短くなる。振動板エッジ部経路長１１は、より詳細には、図７を参照して、断面視における振動板２のエッジ部（振動板２の外周部２４）と振動板２の平坦部２２との間の振動板２の長さである。その結果、振動板２の面積が小さくなることにより、スピーカユニット２０の音圧が低下する。また、振動板エッジ部経路長１１が短くなることにより、最低共振周波数が上昇する。【００４２】
それに対し、本実施の形態のスピーカユニット２０では、第１の凸部を構成しているリング３の内周側の面が第２の凸部６の外周側の面に対向するように、フレーム７に対して振動板２およびリング３とを含む振動板部材１が取り付けられている。このようにして、振動板部材１がフレーム７に位置決めされている。このため、従来のスピーカユニット２０の形状におけるフレームの外周部に設けられた縁立て部を排除することができるので、従来のスピーカユニット２０と同じ外形寸法の場合に、より振動板部材１の面積を大きくすることが可能となる。また、振動板エッジ部経路長１１を長くすることが可能となる。【００４３】
したがって、本実施の形態におけるスピーカユニット２０によれば、小型化、スリム化を進めることにより、フレーム７の外形寸法が小さくなっても、従来のスピーカユニット２０の形状に比べて振動板２の面積の低下を抑えることができる。また振動板エッジ部経路長１１の減少を抑えることができる。これにより、スピーカユニット２０の音圧の低下を抑えることができる。また、最低共振周波数の上昇を抑えることができる。【００４４】
また、第２の凸部６がフレーム７の内周側の全周に連続して設けられていることで、より安定して振動板２およびリング３とを含む振動板部材１をフレーム７に位置決めすることができる。【００４５】
なお、第２の凸部６がフレーム７の内周側の少なくとも一部に設けられていることで安定して振動板２およひリング３とを含む振動板部材１をフレーム７に位置決めすることができる。【００４６】
また、フレーム７が矩形状に設けられていてもよいので、設計上の自由度が確保される。【００４７】
（実施の形態２）
最初に本実施の形態におけるスピーカユニットの構成について説明する。【００４８】
図８は、本実施の形態におけるスピーカユニットの概略断面図である。本実施の形態のスピーカユニットは、実施の形態１と比較して、リング３を有していない点で主に異なっている。【００４９】
図８を参照して、振動板部材１は振動板２を有している。振動板２は外周部２４に外周凸部８２を有している。外周部２４は、フレーム上面８１に直接取り付けられている。外周凸部８２が第１の凸部を構成している。フレーム７は、外周凸部８２よりも内周側に第２の凸部６を有している。【００５０】
外周凸部８２の内周面が、第１の凸部の内周側の面として、フレーム７の内周側に設けられた第２の凸部６の外周側の面に対向するように、フレーム７に取り付けられている。
このようにして、振動板部材１がフレーム７に位置決めされている。【００５１】
なお、本実施の形態のこれ以外の構成は、上記した実施の形態１と同様であるため同一の要素については同一の符号を付し、その説明を省略する。【００５２】
次に本実施の形態におけるスピーカユニットの作用効果について説明する。【００５３】
本実施の形態におけるスピーカユニット２０によれば、上記の構成を有しているので実施の形態１と同様の効果を有している。【００５４】
また、本実施の形態におけるスピーカユニット２０によれば、リング３が取り付けられていないため、実施の形態１と比較して、工数を減らすことができる。また部品点数を減らすことができる。これにより、実施の形態１と比較して、製造コストを削減することができる。【００５５】
また、第２の凸部６がフレーム７の内周側の全周に連続して設けられていることで、より安定して振動板２を含む振動板部材１をフレーム７に位置決めすることができる。【００５６】
なお、第２の凸部６がフレーム７の内周側の少なくとも一部に設けられ得る。たとえば、第２の凸部６がフレーム７の内周側に等間隔で４箇所に設けられ得る。これにより、安定して振動板２を含む振動板部材１をフレーム７に位置決めすることができる。【００５７】
また、フレーム７が平面視における矩形状に設けられ得る。これにより、設計上の自由度が確保される。フレーム７が矩形状の場合であっても、第２の凸部６がフレーム７の内周側の全周に連続して設けら得る。これにより、より安定して振動板２を含む振動板部材１をフレーム７に位置決めすることができる。【００５８】
なお、フレーム７が平面視における矩形状の場合であっても、第２の凸部６がフレーム７の内周側の少なくとも一部に設けられ得る。たとえば、第２の凸部６がフレーム７の内周側の長辺側および短辺側のそれぞれの中央部に各々設けられ得る。また、第２の凸部６がフレーム７の内周側の四隅に設けられ得る。これにより、安定して振動板２を含む振動板部材１をフレーム７に位置決めすることができる。【００５９】
（実施の形態３）
最初に本実施の形態におけるスピーカユニットの構成について説明する。【００６０】
図９は、本実施の形態におけるスピーカユニットの概略断面図である。本実施の形態のスピーカユニットは、実施の形態２と比較して、リング３が振動板２の外周部２４の上面に取り付けられている点で主に異なっている。【００６１】
図９を参照して、振動板２の外周部２４の上面にリング３が取り付けられている。リング３の上面にカバー１０が取り付けられている。【００６２】
振動板２の外周部２４の上面おいて、リング３が外周凸部８２に接するように取り付けられている。外周凸部８２の内周面が、第１の凸部の内周側の面として、フレーム７の内周側に設けられた第２の凸部６の外周側の面に対向するように、フレーム７に取り付けられている。このようにして、振動板部材１がフレーム７に位置決めされている。【００６３】
なお、本実施の形態のこれ以外の構成は、上記した実施の形態２と同様であるため同一の要素については同一の符号を付し、その説明を省略する。【００６４】
次に本実施の形態におけるスピーカユニットの作用効果について説明する。【００６５】
本実施の形態におけるスピーカユニット２０によれば、上記の構成を有しているので実施の形態１と同様の効果を有している。【００６６】
本実施の形態におけるスピーカユニット２０によれば、リング３が振動板２の外周部２４の上面に取り付けられているので、振動板部材１がフレーム７に取り付けられる際に、リング３を保持することにより容易に取り付けることができる。すなわち、組み立て時のハンドリングが向上する。【００６７】
また、第２の凸部６がフレーム７の内周側の全周に連続して設けられていることで、より安定して振動板２およびリング３とを含む振動板部材１をフレーム７に位置決めすることができる。【００６８】
なお、第２の凸部６がフレーム７の内周側の少なくとも一部に設けられ得る。たとえば、第２の凸部６がフレーム７の内周側に等間隔で４箇所に設けられ得る。これにより、振動板部材１をフレーム７に位置決めすることができる。【００６９】
また、フレーム７が平面視における矩形状に設けら得る。これにより、設計上の自由度が確保される。フレーム７が矩形状の場合であっても、第２の凸部６がフレーム７の内周側の全周に連続して設けられ得る。これにより、より安定して振動板２を含む振動板部材１をフレーム７に位置決めすることができる。【００７０】
なお、フレーム７が平面視における矩形状の場合であっても、第２の凸部６がフレーム７の内周側の少なくとも一部に設けられ得る。たとえば、第２の凸部６がフレーム７の内周側の長辺側および短辺側のそれぞれの中央部に各々設けられ得る。また、第２の凸部６がフレーム７の内周側の四隅に設けられ得る。これにより、安定して振動板２を含む振動板部材１をフレーム７に位置決めすることができる。【００７１】
なお、上記においては、マグネットがボイスコイルより外周側に配置された外磁型のスピーカユニットについて説明したが、マグネットがボイスコイルより内周側に配置された内磁型のスピーカユニットであってもよい。以下、その構成を説明する。この構成は、特に言及しない限り、上記した実施の形態１と同様であるため同一の要素については同一の符号を付し、その説明を省略する。【００７２】
図１２は、本実施の形態における内磁型のスピーカユニットの構成を示す概略断面図である。図１２を参照して、マグネット５は、ボイスコイル４の内周面と間隔をあけてボイスコイル４の内周側に配置されている。ヨーク９は、ボイスコイル４の外周面と間隔をあけてボイスコイル４の外周側に配置された部分（外周側部分）とボイスコイル４およびマグネット５の下側に配置された部分（下側部分）とを有している。【００７３】
ヨーク９の下側部分は、ボイルコイル４の下面と間隔をあけて配置されており、かつヨーク９の下側部分の中央部にはマグネット５が配置されている。ヨーク９は、外周側部分の外周側でフレーム７の内周面と嵌合して固定されている。フレーム７は、ヨーク９を介してマグネット５を支持している。また、マグネット５の上面にはプレート８が配置されている。【００７４】
この構成においても上記の外磁型のスピーカユニットと同様に、振動板部材１は、振動板２とリング３とを有している。振動板２の外周部２４の下面には、円環状のリング３が取り付けられている。リング３が第１の凸部を構成している。またフレーム７の上部には振動板部材１が取り付けられている。フレーム７の上部には、第２の凸部６が形成されている。この第２の凸部６は、第１の凸部に対応するリング３よりも内周側に位置している。振動板部材１は、リング３（第１の凸部）の内周側の面がフレーム７の内周側に設けられた凸部６（第２の凸部）の外周側の面に対向するように、フレーム７に取り付けられている。なお、振動板２を覆うように平面視において円形状のカバー１０が配置されている。【００７５】
次に、この構成のスピーカユニットの動作について説明する。この構成により、マグネット５から発生する磁束がプレート８およびヨーク９によって導かれて、ボイスコイル４の配置されている空隙に収束されて磁界が発生する。そして、ボイスコイル４に電流が流れると、ボイスコイル４を流れる電流とマグネット５から発生する磁界とによってフレミングの左手の法則に基づいて、ボイスコイル４が上下に振動する。したがって、ボイスコイル４に取り付けられた振動板２が振動する。【００７６】
また、上記においては、幅方向における積層数より厚み方向における積層数が多い形状のボイスコイルを搭載したスピーカユニットについて説明した。しかし、厚み方向における積層数より幅方向における積層数が多い形状のボイスコイルを搭載したスピーカユニットであってもよい。以下、その構成を説明する。【００７７】
図１３は、本実施の形態における厚み方向より幅方向の積層数が多い形状のボイスコイルを搭載したスピーカユニットの構成を示す概略断面図である。図１３を参照して、振動板部材１は、振動板２を有している。振動板２は、外周部２４に第１の凸部を構成する外周凸部８２を有している。外周部２４は、フレーム上面８１に直接取り付けられている。
振動板２は円板状の形状を有している。【００７８】
振動板２の下面の中央部にボイスコイル４の上面が接着されることにより、ボイスコイル４が振動板２に取り付けられている。ボイスコイル４は、円筒状の形状を有している。
マグネット５は、カバー１０の中央部に固定され、振動板２の上面と間隔をあけて配置されている。【００７９】
カバー１０は、一端が開口した円筒状の形状を有している。カバー１０には放音のための複数の小さい孔７３が円周状に設けられている。フレーム７は、カバー１０と外径が等しい一端が開口した円筒状の形状を有している。フレーム７の内周側には、第２の凸部６が形成されている。フレーム７およびカバー１０は、それぞれの開口部で互いに接合されている。フレーム７は、カバー１０を介してマグネット５を支持している。【００８０】
振動板２の外周部２４は、フレーム７とカバー１０との間に挟まれて固定されている。
外周凸部８２の内周面が、第１の凸部の内周側の面として、フレーム７の内周側に設けられた第２の凸部６の外周側の面に対向するように、フレーム７に取り付けられている。【００８１】
次に、この構成による動作について説明する。マグネット５から磁束Ｍ（図１３中破線矢印）が放射される。その磁束Ｍは、空隙Ｇを経てボイスコイル４に作用する。そして、ボイスコイル４に供給される電流が変化することにより、ボイスコイル４が振動する。したがって、ボイスコイル４に取り付けられた振動板２が振動する。【００８２】
次に、この構成による作用効果について説明する。上記形状のボイスコイル４を搭載したスピーカユニット２０によれば、ボイスコイル４の中心軸Ｔ方向（厚さ方向）の積層数より中心軸Ｔに交差する方向（幅方向）の積層数が多い。そのため、ボイスコイル４を薄型化することができ、そのボイスコイル４を搭載したスピーカユニット２０の薄型化を図ることができる。【００８３】
また、厚み方向における積層数より幅方向における積層数が多い形状のボイスコイルを搭載したスピーカユニットにおいて、複数のマグネットが搭載されていてもよい。以下、その構成を説明する。この構成は、特に言及しない限り、上記した実施の形態１と同様であるため同一の要素については同一の符号を付し、その説明を省略する。【００８４】
図１４は、本実施の形態における厚み方向より幅方向の積層数が多い形状のボイスコイルおよび複数のマグネットを搭載したスピーカユニットの構成を示す概略断面図である。
図１４を参照して、ボイスコイル４は、マグネット５の上面上に間隔をあけて配置されている。ボイスコイル４は、マグネット５によって生じる磁束がボイスコイル４を横切るように配置されている。【００８５】
マグネット５は、中心軸Ｔと平行な方向に磁性化されている。マグネット５は、一対の直方体状のアウターマグネット５１と、直方体状のインナーマグネット５２とを含んでいる。マグネット５は、アウターマグネット５１の外周面がフレーム７の内周面と嵌合されて固定されている。ヨーク９は、マグネット５およびフレーム７の下側に配置されている。ヨーク９の上面の中央部には、マグネット５が載置されている。ヨーク９は、ヨーク９の周辺部の上面および側面がフレーム７と嵌合されて固定されている。フレーム７は、内周面において、およびヨーク９を介してマグネット５を支持している。【００８６】
図１５（Ａ）は、図１４のマグネット５の概略斜視図である。図１５を参照して、一対のアウターマグネット５１とインナーマグネット５２とは、逆向きに磁性化されている。
つまり、一対のアウターマグネット５１の下面がＮ極となるように磁性化され、インナーマグネット５２の上面がＮ極となるように磁性化されている。なお、一対のアウターマグネット５１とインナーマグネット５２とは、逆向きに磁性化されていればよい。したがって、一対のアウターマグネット５１の上面がＮ極となるように磁性化され、インナーマグネット５２の下面がＮ極となるように磁性化されていてもよい。【００８７】
この構成においても上記の外磁型のスピーカユニットと同様に、振動板部材１は、振動板２とリング３とを有している。振動板２の外周部２４の下面には、円環状のリング３が取り付けられている。リング３が第１の凸部を構成している。またフレーム７の上部には振動板部材１が取り付けられている。フレーム７の上部には、第２の凸部６が形成されている。この第２の凸部６は、第１の凸部に対応するリング３よりも内周側に位置している。振動板部材１は、リング３（第１の凸部）の内周側の面がフレーム７の内周側に設けられた凸部６（第２の凸部）の外周側の面に対向するように、フレーム７に取り付けられている。なお、振動板２を覆うように平面視において円形状のカバー１０が配置されている。【００８８】
次に、この構成のスピーカユニットの動作について説明する。この構成により、マグネット５から発生する磁束がボイスコイル４の配置されている空隙に収束されて磁界が発生する。そして、ボイスコイル４に電流が流れると、ボイスコイル４を流れる電流とマグネット５から発生する磁界とによってフレミングの左手の法則に基づいて、ボイスコイル４が上下に振動する。したがって、ボイスコイル４に取り付けられた振動板２が振動する。【００８９】
次に、この構成のスピーカユニットの作用効果について説明する。上記のとおり、アウターマグネット５１とインナーマグネット５２とが逆向きに磁性化されている。そのため、アウターマグネット５１の上面とインナーマグネット５２の上面とで形成される磁束と、アウターマグネット５１の下面とインナーマグネット５２の下面とで形成される磁束とが重畳する。したがって、密度の高い磁束がボイスコイル４を通過する。これにより、振動板に作用する駆動力が大きくなり、音圧を高めることができる。【００９０】
また、図１５（Ｂ）に示すように、インナーマグネット５２の表面がアウターマグネット５１の表面よりもボイスコイル４側に突出した構造とすることができる。この構造では、ボイスコイル４により近い位置で磁束が形成される。そのため、より高密度の磁束がボイスコイル４を通過する。これにより、振動板に作用する駆動力がより大きくなり、より音圧を高めることができる。【００９１】
（実施の形態４）
最初に本実施の形態における携帯情報端末の構成について説明する。【００９２】
図１０および図１１は、本実施の形態における携帯情報端末の概略斜視図である。図１０および図１１を参照して、本実施の形態における携帯情報端末は、携帯電話機であって、上部筐体１０１、表示部１０２、放音孔１０３、ヒンジ部１０４、下部筐体１０５、操作ボタン１０６、数字ボタン１０７、表示部１１１、放音孔１１２と、図示しない実施の形態１〜３のいずれかのスピーカユニット２０を主に備えている。【００９３】
図１０を参照して、上部筐体１０１の表面には表示部１０２が設けられている。上部筐体１０１の表面の一方端部側には放音孔１０３が形成されている。上部筐体１０１の他方端部側にはヒンジ部１０４が形成されている。下部筐体１０５の一方端部側にはヒンジ部１０４が形成されている。ヒンジ部１０４によって上部筐体１０１と下部筐体１０５とは開閉可能に連結されている。下部筐体１０５の表面のヒンジ部１０４側には操作ボタン１０６が形成されている。操作ボタン１０６からヒンジ部１０４と反対側に向かって数字ボタン１０７が形成されている。【００９４】
図１１を参照して、上部筐体１０１の裏面には表示部１１１が設けられている。表示部１１１の横に放音孔１１２が形成されている。【００９５】
図示しない実施の形態１〜３および図１２〜１５に記載のいずれかのスピーカユニット２０は、上部筐体１０１の内側に設けられている。そのスピーカユニット２０より主に放音孔１０３および１１２を通じて携帯情報端末の外に音が発せられる。【００９６】
次に本実施の形態における携帯情報端末の作用効果について説明する。【００９７】
本実施の形態における携帯情報端末によれば、上記の実施の形態１〜３および図１２〜１５に記載のいずれかのスピーカユニット２０を備えているので、小型化、スリム化を進めることにより、フレーム７の外形寸法が小さくなっても、従来のスピーカユニット２０の形状に比べて振動板２の面積の低下を抑えることができる。また振動板エッジ部経路長１１の減少を抑えることができる。これにより、スピーカユニット２０の音圧の低下を抑えることができる。また、最低共振周波数の上昇を抑えることができる。【００９８】
また、本実施の形態における携帯情報端末によれば、小型化、スリム化を進めてより小さい携帯情報端末にすることができる。また、省スペースなスピーカユニット２０を備えることにより設計自由度を向上することができる。また、音圧を大きくすることにより、通話音や着信音などが明確に認識され得る。【００９９】
なお、本実施の形態では、携帯情報端末として携帯電話機について説明したが、これに限定されず、ＤＳＣ、ＰＤＡまたはＰＣなどであってもよい。【０１００】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【０１０１】
本発明は、小型化、スリム化されたスピーカユニットおよび携帯情報端末に特に有利に適用され得る。
【図面の簡単な説明】
【０１０２】
【図１】実施の形態１におけるスピーカユニットの概略断面図である。
【図２】実施の形態１におけるスピーカユニットの概略平面図である。
【図３】実施の形態１におけるスピーカユニットの概略平面図である。
【図４】実施の形態１におけるスピーカユニットの概略平面図である。
【図５】実施の形態１におけるスピーカユニットの概略平面図である。
【図６】実施の形態１におけるスピーカユニットの概略平面図である。
【図７】従来のスピーカユニットの概略断面図である。
【図８】実施の形態２におけるスピーカユニットの概略断面図である。
【図９】実施の形態３におけるスピーカユニットの概略断面図である。
【図１０】実施の形態４における携帯情報端末の概略斜視図である。
【図１１】実施の形態４における携帯情報端末の概略斜視図である。
【図１２】実施の形態における内磁型のスピーカユニットの概略断面図である。
【図１３】実施の形態における厚み方向より幅方向の積層数が多い形状のボイスコイルを搭載したスピーカユニットの概略断面図である。
【図１４】実施の形態における厚み方向より幅方向の積層数が多い形状のボイスコイルおよび複数のマグネットを搭載したスピーカユニットの概略断面図である。
【図１５】図１４におけるマグネットの斜視図である図（Ａ）と、インナーマグネットの表面がアウターマグネットの表面よりもボイスコイル側へ突出した構造のマグネットの斜視図である図（Ｂ）である。
【符号の説明】
【０１０３】
１  振動板部材、２  振動板、３  リング、４  ボイスコイル、５  マグネット、６  第２の凸部、７  フレーム、８  プレート、９  ヨーク、１０  カバー、１１  振動板エッジ部経路長、２０  スピーカユニット、２１  中央部、２２  平坦部、２３  周辺部、２４  外周部、７１  縁立て部、７２  振動板外周面、８１  フレーム上面、１０１  上部筐体、１０２  表示部、１０３  放音孔、１０４  ヒンジ部、１０５  下部筐体、１０６  操作ボタン、１０７  数字ボタン、１１１  表示部、１１２  放音孔。
【図１】
2010073839.tif 000003
【図２】
2010073839.tif 000004
【図３】
2010073839.tif 000005
【図４】
2010073839.tif 000006
【図５】
2010073839.tif 000007
【図６】
2010073839.tif 000008
【図７】
2010073839.tif 000009
【図８】
2010073839.tif 000010
【図９】
2010073839.tif 000011
【図１０】
2010073839.tif 000012
【図１１】
2010073839.tif 000013
【図１２】
2010073839.tif 000014
【図１３】
2010073839.tif 000015
【図１４】
2010073839.tif 000016
【図１５】
2010073839.tif 000017
【国際調査報告】
2010073839.tif 000018
2010073839.tif 000019
2010073839.tif 000020